【手続補正書】
【提出日】平成29年2月15日(2017.2.15)
【手続補正１】
【補正対象書類名】明細書
【補正対象項目名】００１６
【補正方法】変更
【補正の内容】
【００１６】
そこで、本願発明では、ユーザの操作の状態を考慮して認証での誤判別を抑制する情報処理装置、制御方法、及びプログラムを提供することを目的とする。
【手続補正２】
【補正対象書類名】明細書
【補正対象項目名】００１７
【補正方法】変更
【補正の内容】
【００１７】
上記課題を解決するための第１の発明は、情報処理装置に対向するユーザを撮影することにより得られた画像を用いて認証を行う情報処理装置であって、当該情報処理装置への操作を検知する操作検知手段と、前記撮影画像から特定されるユーザと前記情報処理装置に対向するユーザの画像との類似度により本人認証を行う認証手段と、所定の類似度によって前記ユーザの本人認証を行う第１の設定、あるいは、前記所定の類似度とは異なる類似度によって前記ユーザの本人認証を行う第２の設定の何れを決定する決定手段と、を備え、前記認証手段は、前記操作検知手段によって操作を検知した場合、前記決定手段によって決定される第２の設定により本人認証を行うことを特徴とする。
【手続補正３】
【補正対象書類名】明細書
【補正対象項目名】００１８
【補正方法】変更
【補正の内容】
【００１８】
上記課題を解決するための第２の発明は、情報処理装置に対向するユーザを撮影することにより得られた画像を用いて認証を行う情報処理装置の制御方法であって、前記情報処理装置は、当該情報処理装置への操作を検知する操作検知ステップと、前記撮影画像から特定されるユーザと前記情報処理装置に対向するユーザの画像との類似度により本人認証を行う認証ステップと、所定の類似度によって前記ユーザの本人認証を行う第１の設定、あるいは、前記所定の類似度とは異なる類似度によって前記ユーザの本人認証を行う第２の設定の何れを決定する決定ステップと、を実行し、前記認証ステップは、前記操作検知ステップによって操作を検知した場合、前記決定ステップによって決定される第２の設定により本人認証を行うことを実行することを特徴とする。
【手続補正４】
【補正対象書類名】明細書
【補正対象項目名】００１９
【補正方法】変更
【補正の内容】
【００１９】
上記課題を解決するための第３の発明は、情報処理装置に対向するユーザを撮影することにより得られた画像を用いて認証を行う情報処理装置で読取実行可能なプログラムあって、前記情報処理装置を、当該情報処理装置への操作を検知する操作検知手段と、前記撮影画像から特定されるユーザと前記情報処理装置に対向するユーザの画像との類似度により本人認証を行う認証手段と、所定の類似度によって前記ユーザの本人認証を行う第１の設定、あるいは、前記所定の類似度とは異なる類似度によって前記ユーザの本人認証を行う第２の設定の何れを決定する決定手段と、して機能させ、前記認証手段は、前記操作検知手段によって操作を検知した場合、前記決定手段によって決定される第２の設定により本人認証を行うとして機能させるためのプログラムである。
【手続補正５】
【補正対象書類名】明細書
【補正対象項目名】００２０
【補正方法】変更
【補正の内容】
【００２０】
本発明によれば、ユーザの操作の状態を考慮して認証での誤判別を抑制することができる、という効果を奏する。
【手続補正６】
【補正対象書類名】特許請求の範囲
【補正対象項目名】全文
【補正方法】変更
【補正の内容】
【特許請求の範囲】
【請求項１】
情報処理装置に対向するユーザを撮影することにより得られた画像を用いて認証を行う情報処理装置であって、
当該情報処理装置への操作を検知する操作検知手段と、
前記撮影画像から特定されるユーザと前記情報処理装置に対向するユーザの画像との類似度により本人認証を行う認証手段と、
所定の類似度によって前記ユーザの本人認証を行う第１の設定、あるいは、前記所定の類似度とは異なる類似度によって前記ユーザの本人認証を行う第２の設定の何れを決定する決定手段と、
を備え、
前記認証手段は、前記操作検知手段によって操作を検知した場合、前記決定手段によって決定される第２の設定により本人認証を行うことを特徴とする情報処理装置。
【請求項２】
前記異なる類似度は、前記所定の類似度よりも高い類似度であることを特徴とする請求項１に記載の情報処理装置。
【請求項３】
前記決定手段は、操作の有無それぞれに対して、本人認証される頻度と類似度との相関からなる確率分布から前記第１の設定、あるいは、前記第２の設定を決定することを特徴とする請求項１または２に記載の情報処理装置。
【請求項４】
前記決定手段は、操作の有無それぞれに対して、本人と異なるユーザが本人として認証される頻度と類似度との相関からなる確率分布から前記第１の設定、あるいは、前記第２の設定を決定することを特徴とする請求項１乃至３の何れか１項に記載の情報処理装置。
【請求項５】
前記決定手段は、本人として受け入れるための閾値を示す第１の設定、あるいは、前記閾値とは異なる閾値を示す第２の設定を決定し、
前記認証手段は、前記操作検知手段によって操作を検知した場合、前記撮影画像から特定されるユーザと前記情報処理装置に対向するユーザの画像に基づいて算出された、認証されているユーザとの類似度が、前記決定手段によって決定された第２の設定にかかる閾値を満たす場合に、前記撮影画像から特定されるユーザを本人として認証を行うことを特徴とする請求項１乃至４の何れか１項に記載の情報処理装置。
【請求項６】
操作の有無それぞれに対して、本人認証される頻度と類似度との相関からなる確率分布から前記類似度に対する閾値を設定する設定手段を備え、
前記決定手段は、前記設定手段により設定される、操作の有無それぞれに対して、本人ユーザと異なるユーザが本人として認証される頻度と類似度との相関からなる確率分布から前記類似度に対する閾値以上の、本人認証される頻度と類似度との相関からなる確率分布から前記類似度に対する閾値を決定することを特徴とする請求項５に記載の情報処理装置。
【請求項７】
操作の有無それぞれに対して、本人ユーザを識別するための画像を記憶する記憶手段を備え、
前記決定手段は、前記操作検知手段によって検知した操作の有無によって、認証手段によって本人認証を行うための前記記憶手段に記憶された画像を決定することを特徴とする請求項１乃至６の何れか１項に記載の情報処理装置。
【請求項８】
情報処理装置に対向するユーザを撮影することにより得られた画像を用いて認証を行う情報処理装置の制御方法であって、
前記情報処理装置は、
当該情報処理装置への操作を検知する操作検知ステップと、
前記撮影画像から特定されるユーザと前記情報処理装置に対向するユーザの画像との類似度により本人認証を行う認証ステップと、
所定の類似度によって前記ユーザの本人認証を行う第１の設定、あるいは、前記所定の類似度とは異なる類似度によって前記ユーザの本人認証を行う第２の設定の何れを決定する決定ステップと、
を実行し、
前記認証ステップは、前記操作検知ステップによって操作を検知した場合、前記決定ステップによって決定される第２の設定により本人認証を行うこと
を実行することを特徴とする情報処理装置の制御方法。
【請求項９】
情報処理装置に対向するユーザを撮影することにより得られた画像を用いて認証を行う情報処理装置で読取実行可能なプログラムあって、
前記情報処理装置を、
当該情報処理装置への操作を検知する操作検知手段と、
前記撮影画像から特定されるユーザと前記情報処理装置に対向するユーザの画像との類似度により本人認証を行う認証手段と、
所定の類似度によって前記ユーザの本人認証を行う第１の設定、あるいは、前記所定の類似度とは異なる類似度によって前記ユーザの本人認証を行う第２の設定の何れを決定する決定手段と、
して機能させ、
前記認証手段は、前記操作検知手段によって操作を検知した場合、前記決定手段によって決定される第２の設定により本人認証を行うと
して機能させるためのプログラム。